(57)【要約】【課題】緑化対象面の周囲環境に悪影響を与えることなく、これとマッチした緑化を安価かつ確実に行うことができ、自然度の高い緑化を行うことのできる緑化方法およびこの緑化方法に好適に用いることのできる植生型枠を提供すること。【解決手段】網状体よりなる植生型枠３を緑化対象面１に格子状に配置し、この植生型枠１内に表土シードバンクを含んだ植生基材４を吹き付ける。【選択図】      図１
2004313081.tif 000002
【特許請求の範囲】
【請求項１】
網状体よりなる植生型枠を緑化対象面に格子状に配置し、この植生型枠内に表土シードバンクを含んだ植生基材を吹き付けることを特徴とする緑化方法。
【請求項２】
緑化対象面に植生型枠を設置するに際して、当該緑化対象面に植生ネットを敷設してなる請求項１に記載の緑化方法。
【請求項３】
緑化対象面に適宜の間隔をおいて配置され、二つの平行する型枠部材を連結してなることを特徴とする植生型枠。
【請求項４】
等高線に沿うように設けられる植生型枠において、下位に配置される型枠部材の目合いが上位に配置される型枠部材の目合いよりも小さくしてある請求項３に記載の植生型枠。
【請求項５】
等高線に沿うように設けられる植生型枠において、上位に配置される型枠部材の高さを下位に配置される型枠部材の高さよりも低くしてある請求項３または４に記載の植生型枠。
【請求項６】
型枠部材に保水シートを設けてある請求項３〜５のいずれかに記載の植生型枠。
【発明の詳細な説明】
【０００１】
【発明の属する技術分野】
この発明は、緑化方法とこれに用いる植生型枠に関する。
【０００２】
【従来の技術】
【特許文献１】特開２００２−３３２６４０号公報
近年、生物の多様性、遺伝子攪乱防止などへの配慮から、緑化施工地周辺の植物を使用することへの要望が高まっており、施工地周辺の種子を採取して用いたり、施工地周辺の表層土壌や施工地周辺の森林内からそこに生育する植物の種子を埋土種子として含む表土シードバンクを採取して、この表土シードバンクを緑化工法に使用する傾向が高まって、それが実施されつつある。
【０００３】
【発明が解決しようとする課題】しかしながら、上記表土シードバンクを活用する緑化方法において、緑化対象面である法面を吹き付け等によって全面緑化しようとすると、その吹き付け等のために採取する表土の量が多くなりそれだけ周囲環境に与える影響が大きくなるとともにコスト高となる。また、目的とする木本類の侵入が遅れるといった問題がある。
【０００４】この発明は、上述の事柄に留意してなされたもので、その目的は、緑化対象面の周囲環境に悪影響を与えることなく、これとマッチした緑化を安価かつ確実に行うことができ、自然度の高い緑化を行うことのできる緑化方法およびこの緑化方法に好適に用いることのできる植生型枠を提供することである。
【０００５】
【課題を解決するための手段】上記目的を達成するため、この発明の緑化方法は、網状体よりなる植生型枠を緑化対象面に格子状に配置し、この植生型枠内に表土シードバンクを含んだ植生基材を吹き付けることを特徴としている（請求項１）。
【０００６】上記緑化方法においては、植生型枠によって格子内部は人工的な裸地となっており、周辺から植物種子が入り易く、植生の遷移が促進され、自然度の高い緑化を行うことができる。そして、表土シードバンクを含んだ植生基材を、緑化対象面全体に吹き付けるのではなく、緑化対象面に格子状に配置された植生型枠内にのみ吹き付けるだけでよいので、表土の採取量が少なくて済み、周囲環境に及ぼされる悪影響がほとんど無いとともにコスト安に施工することができる。また、前記植生型枠内に吹き付けられた表土シードバンクから植物が生育することにより、格子状に植物が生育し、この生育した植物によって前記格子内は適当に遮光され、防風される。したがって、格子内の裸地の保水性が向上し、余所から飛来してきた種子の発芽が促進される。
【０００７】そして、前記緑化方法において、緑化対象面に植生型枠を設置するに際して、当該緑化対象面に植生ネットを敷設してもよく（請求項２）、このようにした場合、急な傾斜面においても、この緑化方法を好適に適用することができる。
【０００８】また、上記目的を達成するため、この発明の植生型枠は、緑化対象面に適宜の間隔をおいて配置され、二つの平行する型枠部材を連結してなることを特徴としている（請求項３）。
【０００９】上記植生型枠においては、緑化対象面に所定の格子枠を確実に形成することができ、表土シードバンクを含んだ植生基材を確実に保持することができる。特に、等高線に沿うように設けられる植生型枠において、下位に配置される型枠部材の目合いが上位に配置される型枠部材の目合いよりも小さくしてある場合（請求項４）、前記植生型枠内に注入された植生基材を確実に保持することができる。
【００１０】そして、前記植生型枠において、等高線に沿うように設けられる植生型枠において、上位に配置される型枠部材の高さを下位に配置される型枠部材の高さよりも低くした場合（請求項５）、上部勾配を緩和することができる。また、型枠部材に保水シートを設けた場合（請求項６）、植生型枠内の植生基材の乾燥を防止することができる。さらに、前記植生型枠において、その上部に蓋を開閉自在に設けた場合、植生型枠内の植生基材の飛散などを防止することができ好ましい。
【００１１】
【発明の実施の形態】以下、この発明の詳細を、図を参照しながら説明する。図１〜図３は、この発明の第１の実施の形態を示すものである。まず、図１および図２において、１は緑化対象面としての法面で、その傾斜角度は比較的小さい。２はこの法面１の上面に格子状に形成される格子体で、主として植生型枠３とこの植生型枠３の内部に吹き付けられる植生基材４とから構成される。５は植生型枠３の内部に配設される鉄筋、６はこの鉄筋５を固定するアンカーボルトである。
【００１２】前記植生型枠３は、例えば、図３に示すように、一対の型枠部材としての金網３ａ，３ｂよりなり、この実施の形態においては、金網３ａ，３ｂは互いに同一サイズの長方形状であり、例えば、高さＨが１０ｃｍ、幅Ｗが１００ｃｍの長方形状に形成されているとともに、植生基材４を可及的に流出させない目合いに形成されている。そして、これらの金網３ａ，３ｂは、適宜太さの針金などの連結部材７を例えば２本を互いにクロスするようにして金網３ａ，３ｂ間に設けることにより、離間・接近自在に結合されている。すなわち、金網３ａ，３ｂは、同図（Ａ）に示すように、間隔ｄが２０ｃｍ程度になり、また、同図（Ｂ）に示すように、互いに近づけた場合、ほとんど重なるように、離間・接近自在に連結されている。つまり、この実施の形態においては、植生型枠３は、その高さよりも幅が大きくなるように、網状体としての金網３ａ，３ｂを組み合わせて構成されている。
【００１３】そして、前記植生基材４は、表土シードバンクを含んだものよりなり、より具体的には、前記法面１の近傍の地山や森林等の表土（植物種子８を含んでいるもの）にピートモスやバーク堆肥や保水材など生育補助材９を適宜混合してなるものである。
【００１４】次に、この発明の緑化方法について、図１〜図３を参照しながら説明すると、まず、緑化対象面（施工対象面）である法面１を適宜整備して、凹凸した部分をできるだけ少なくなるように整地する（必ずしも平坦な面にする必要はない）。
【００１５】前記整地後の法面１に複数の植生型枠３を、図１に示すように、格子状に配置する。この場合、図３（Ａ）に示すように、金網３ａ，３ｂを最大限に離間させて、それらの間が所定の間隔となるようにする。なお、植生型枠３を構成する金網３ａ，３ｂは予め連結部材７によって連結してあってもよいが、法面１に敷設する際に、当該現場（法面１）において連結部材７によって連結するようにしてもよい。
【００１６】そして、適宜太さおよび長さの鉄筋５をクロスしている連結部材７の交点位置に載置するとともに、法面１に打ち込まれるアンカーボルト６によって固定する。この場合、鉄筋５をアンカーボルト６に対して適宜の番線を用いて結束するようにしてもよい。
【００１７】その後、図１に示すように、適宜の吹付け装置（図示していない）を用いて、植生基材４を、鉄筋５を配設してある植生型枠３内に吹き付けるのである。なお、図１において、１０は植生基材４を吹き付けるためのノズルである。
【００１８】前記植生基材４の吹き付けによって、法面１には、図１に示すような格子体１が形成され、その内部には法面１の人工的に形成された複数の裸地部分１ａが露出している。この裸地部分１ａの一つの大きさは、例えば、横方向（等高線に水平な方向）Ｘの長さが１５０ｃｍ、縦方向（高さ方向）Ｙの長さが１００ｃｍである。
【００１９】上記のように法面１に格子体１を形成した場合、格子体１によって囲まれた複数の格子内部１ａは、人工的な裸地となっており、この裸地部分１ａには周辺から植物種子が入り易く、植生の遷移が促進され、自然度の高い緑化が行われる。そして、格子体１は植生基材４を含むものであり、この植生基材４から植物が生育する。この植物が前記格子体１内の裸地部分１ａを適当に遮光し、防風することにより、裸地部分１ａの乾燥が巧みに防止され、余所から飛来してきた種子の発芽が促進される。
【００２０】そして、上記緑化方法においては、緑化対象面である法面１全体に植生基材４を吹き付けるのではなく、格子状に配置された植生型枠３内にのみ吹き付けるだけでよいので、表土の採取量が少なくて済み、周囲環境に及ぼされる悪影響がほとんど無いとともにコスト安に施工することができる。
【００２１】また、前記植生型枠３は、構造が簡単であり、その取扱いも容易であるので、搬送を楽に行うことができる、特に、足場や作業環境が悪い傾斜面などにおける取扱いや施工性が良いので、上記緑化方法に好適に使用することができる。
【００２２】上述した緑化方法および植生型枠３は、傾斜が比較的緩やかな法面や斜面などに好適に適用できるものであったが、急傾斜面においては、図４および図５に示すようにするのが好ましい。
【００２３】すなわち、図４および図５は、この発明の第２の実施の形態を示すもので、図４に示すように、予め整地された法面１に、例えば、複数の収容部１０を備えた植生ネット１１を、収容部１０が等高線に沿うようにして敷設し、各収容部１０内に、適宜の肥料１２を収容した肥料袋１３を収容する。なお、肥料袋１３はアンカーピン１４によって固定するようにしてもよく、植生ネット１１の製造時に収容部１０内に予め収容しておいてもよい。また、等高線に沿って設けられる植生型枠３Ａについては、図５（Ａ）に示すように、下位に配置される型枠部材３ｂの目合いを上位に配置される型枠部材３ａの目合いよりも小さくしてあるのが好ましい。さらに、前記植生ネット１１として、金網やプラスチック網を用いてもよいが、植物性素材または動物性素材や他の腐食性素材の網を用いることにより、木本植物の生育を阻害するおそれがなくなるとともに、周辺環境に与える負荷を低減することができ、環境保護の面においても好適である。
【００２４】この第２の実施の形態においては、法面１に植生ネット１１を敷設してあるので、法面１が急傾斜であっても、法面１の崩落やエロージョンが植生ネット１１によって巧みに防止される。そして、植生ネット１１に適宜の肥料１２を収容した肥料袋１３を付設してあるので、植生の成育が速やかに行われる。また、等高線に沿って設けられる植生型枠３Ａについては、下位に配置される型枠部材３ｂの目合いを上位に配置される型枠部材３ａの目合いよりも小さくしてあるので、図５（Ｂ）に示すように、植生型枠３内に注入された植生基材４の流出が巧みに防止される。したがって、この第２の実施の形態の緑化方法においても、前記第１の実施の形態の緑化方法と同様の効果が得られる。
【００２５】この発明は、上述した実施の形態に限られるものではなく、種々に変形して実施することができる。例えば、等高線に沿うように設けられる植生型枠３Ａにおいて、図６（Ａ）に示すように、上位に配置される型枠部材３ａの高さを下位に配置される型枠部材３ｂの高さよりも低くした場合，上部勾配を緩和することができる。さらに、各植生型枠３において、図７に示すように、その上部に蓋１４を開閉自在に設けた場合、植生型枠３内の植生基材４の飛散などを防止することができる。そしてさらに、各植生型枠３において、図８に示すように、型枠部材３ａ，３ｂにヤシマットなどの保水シート１５を付設した場合、植生型枠３内の植生基材４の乾燥を防止することができる。なお、保水シート１５は、型枠部材３ａ，３ｂのいずれかに設けてあってもよい。
【００２６】そして、図５〜図８に示す実施態様は、適宜組み合わせてもよく、例えば、等高線に沿うように設けられる植生型枠３Ａにおいて、下位に配置される型枠部材３ｂの目合いを上位に配置される型枠部材３ａよりも小さくし、かつ、上位に配置される型枠部材３ａの高さを下位に配置される型枠部材よりも低くし、蓋１４を設け、さらに、型枠部材３ａ，３ｂの少なくともいずれかに保水シート１５を設けるなど、種々の実施態様が考えられる。また、上記各植生型枠３を構成する型枠部材３ａ，３ｂは、金網に限らず、プラスチック網などで構成してあってもよく、さらには、腐食性素材よりなる網状体で構成してあってもよく、この場合、周辺環境に与える負荷を低減することができ、環境保護の面においても好適である。
【００２７】
【発明の効果】以上説明したように、この発明の緑化方法は、緑化対象面の周囲環境に悪影響を与えることなく、これとマッチした緑化を安価かつ確実に行うことができ、自然度の高い緑化を達成することができる。そして、この発明の植生型枠は、前記緑化方法の実施に際して好適に使用することができる。
【図面の簡単な説明】
【図１】この発明の第１の実施の形態における緑化方法を示す図である。
【図２】前記緑化方法における法面の縦断面図である。
【図３】前記緑化方法で用いる植生型枠を示す図である。
【図４】この発明の第２の実施の形態における緑化方法を示す図である。
【図５】前記緑化方法で用いる植生型枠を示す図である。
【図６】この発明の緑化方法で用いる植生型枠の他の例を説明するための図である。
【図７】この発明の緑化方法で用いる植生型枠のさらに他の例を説明するための図である。
【図８】この発明の緑化方法で用いる植生型枠のさらに他の例を説明するための図である。
【符号の説明】
１…緑化対象面、３，３Ａ…植生型枠、３ａ，３ｂ…型枠部材、４…植生基材、１１…植生ネット、１４…蓋、１５…保水シート。
【図１】
2004313081.tif 000003
【図２】
2004313081.tif 000004
【図３】
2004313081.tif 000005
【図４】
2004313081.tif 000006
【図５】
2004313081.tif 000007
【図６】
2004313081.tif 000008
【図７】
2004313081.tif 000009
【図８】
2004313081.tif 000010